(57)【要約】      （修正有）【課題】複数のユーザモードを有する安全で衛生的なスマート便器を提供する。【解決手段】制御装置が、マイクロコントローラ１７１と、マイクロコントローラ１７１と接続された情報収集モジュール１７２と、背景音楽を再生するための音楽再生モジュール１７３と、電源モジュール１７４と、ユーザ認識モジュール１０７Ａとを含み、情報収集モジュール１７２が細菌センサー１４４及び赤外線検出器１４３と接続されて情報を収集し、マイクロコントローラ１７１に情報をフィードバックするように構成されており、マイクロコントローラ１７１が紫外線ランプ１４１、モータ１５４、マイクロ制御スイッチ１６３、自動水洗装置１０８及び自動洗浄・乾燥装置１０９と接続されている。ユーザ認識モジュール１０７Ａが認識されたユーザ情報をマイクロコントローラに送信して、スマート便器を対応のユーザモードで動作させるように制御するよう構成されている。【選択図】図５
0003211816.tif 000002
【実用新案登録請求の範囲】
【請求項１】
台座と、前記台座に枢支連結され、連結軸を介して連結された便蓋及び便座と、細菌やウイルスを殺菌するための殺菌装置と、便座シートペーパーを取り替えるための便座シートペーパー取り替え用装置と、便蓋を自動に開閉するための開閉装置と、前記各装置を制御するための制御装置とを含む、複数のユーザモードを有する安全で衛生的なスマート便器であって、
複数のユーザモードが予め設定されており、
前記制御装置は異なるユーザを認識するためのユーザ認識モジュールをさらに含み、
前記制御装置は、前記ユーザ認識モジュールの認識結果に応じて前記スマート便器を対応のユーザモードで動作させるように制御するよう構成されている
ことを特徴とする複数のユーザモードを有する安全で衛生的なスマート便器。
【請求項２】
前記殺菌装置は、前記便蓋の、前記便座に隣接する面に取り付けられた紫外線ランプと、
前記紫外線ランプの外側に配置された保護カバーと、前記便蓋に取り付けられた赤外線検出器及び細菌センサーと、を含み、
前記赤外線検出器及び前記細菌センサーが前記紫外線ランプと電気的に接続されており、
前記便座シートペーパー取り替え用装置は、前記連結軸の一端が挿通された駆動リールと、前記連結軸の他端が挿通された受動リールと、前記駆動リール及び前記受動リールがそれぞれ挿通された便座シートペーパーと、前記駆動リールを運動させるように駆動するためのモータと、前記駆動リールの下に取り付けられたクロノグラフ車と、前記受動リールの末端に取り付けられた廃便座シートペーパー回収部とを含み、
前記開閉装置は、前記台座と前記便蓋との間の連結部に配置され、前記便蓋を押し引きするための引きロッドと、前記引きロッドと連動された電磁石と、前記引きロッドが前記便蓋を押し引きするように補助するための押しロッドと、前記引きロッドを制御するためのマイクロ制御スイッチとを含み、
前記マイクロ制御スイッチが前記制御装置により制御されており、前記電磁石には、伸縮可能な可動鉄心と、前記可動鉄心が挿通された、可動鉄心を位置に戻すための戻しばねとが配置されている
ことを特徴とする請求項１に記載の複数のユーザモードを有する安全で衛生的なスマート便器。
【請求項３】
前記便座の外面にはマイクロナノ構造のセラミック層が被覆されており、前記セラミック層には、光触媒がスプレーイングされている
ことを特徴とする請求項２に記載の複数のユーザモードを有する安全で衛生的なスマート便器。
【請求項４】
自動水洗装置と、ユーザの尻を自動的に洗浄・乾燥するための自動洗浄・乾燥装置と、をさらに含み、
前記制御装置は、マイクロコントローラと、前記マイクロコントローラと接続された情報収集モジュールと、背景音楽を再生するための音楽再生モジュールと、電源モジュールと、前記ユーザ認識モジュールとを含み、
前記情報収集モジュールが前記細菌センサー及び前記赤外線検出器と接続されて情報を収集し、前記マイクロコントローラに情報をフィードバックするように構成されており、
前記マイクロコントローラが前記紫外線ランプ、前記モータ、前記マイクロ制御スイッチ、前記自動水洗装置及び前記自動洗浄・乾燥装置と接続されており、
前記ユーザ認識モジュールが認識されたユーザ情報を前記マイクロコントローラに送信して、前記スマート便器を対応のユーザモードで動作させるように制御するよう構成されている
ことを特徴とする請求項３に記載の複数のユーザモードを有する安全で衛生的なスマート便器。
【請求項５】
各ユーザモードでは、予め設定された背景音楽、予め設定された自動洗浄水温及び予め設定された乾燥温度のうち一つまたは複数を含む
ことを特徴とする請求項４に記載の複数のユーザモードを有する安全で衛生的なスマート便器。
【考案の詳細な説明】
【技術分野】
【０００１】
本考案は、衛生陶器分野に属し、具体的には、複数のユーザモードを有する安全で衛生的なスマート便器に関する。
【背景技術】
【０００２】
科学技術の発展に伴い、さまざまな種類の便器があり、便器とインテリジェント科学技術との結合が人々の生活を大幅に改善する。便器は自動水洗、自動消臭、音楽自動再生、自動洗浄・乾燥、自動加熱などの機能があるため、人々の生活がより利便、快適かつ衛生的となる。
【０００３】
人体の排泄物には細菌やウイルスが大量に存在し、複数人で一つの便器を共用するため、細菌やウイルスの伝播及び交差感染する条件を提供し、特に、便器の使用者が疾患に罹患しているときに、他の使用者に深刻な健康問題をさらに齎す。既存のスマート便器は、通常、自動水洗機能があり、使用された後に、便器内の排泄物を自動に水洗するが、便器の各部位に付着している細菌やウイルスを除去できせず、水洗された便器が衛生的ではなく、依然として健康に対する脅威とした安全上の問題がある。また、一般的に、使用者が手で便蓋を閉めたくないため、水洗過程において、便蓋が閉められていない状態で、便器内の瞬間的なサイクロンにより、細菌や微生物を、最大高さ８メートルの空中に達するようにさせ、数時間にわたり空気中に浮遊して、壁またはその後に入った他の使用者の身体に落ちて、環境汚染及び交差感染を引き起こし、大きな安全上の問題をさらに引き起こす。
【０００４】
既存の便器には、殺菌装置が増設されており、例えば、発明の名称を紫外線殺菌便蓋とする引用文献１では、出願人は、便蓋の、便座に隣接する面に、接点圧力スイッチにより制御された紫外線滅菌ランプを増設することで、便器内の細菌やウイルスを除去することを提供する。しかし、当該便器を使用する場合、使用者が手で便蓋を開けると接点圧力スイッチを自動にオフにさせて紫外線滅菌プログラムを起動する。従って、当該既存の便器は、インテリジェント化が低く、手で当該便器をタッチする過程において、手が便蓋に残留した細菌やウイルスをタッチして、交差感染を引き起こし、紫外線滅菌ランプが便蓋の、便座に隣接する面に取り付けられるため、便座には照射されない所があり、複数人で一つの便器を共用する場合、安全上の問題がある。
【０００５】
家庭ユーザに対して、各家庭ユーザが便器を使用する場合に、異なる要求があるかも知れない。例えば、各ユーザが背景音楽や清洗水温、乾燥温度などに対する嗜好が異なる。しがし、既存のスマート便器はまだこのようなカスタマイズ要求を満たすことができない。
【先行技術文献】
【特許文献】
【０００６】
【特許文献１】中国発明特許出願番号ＣＮ２０１４１０４０８９５７．Ｘ
【考案の概要】
【考案が解決しようとする課題】
【０００７】
これに鑑みて、インテリジェント化が高く、様々なユーザの様々な要求を満たすことができる安全で衛生的なスマート便器を提供する必要がある。
【０００８】
本考案の目的は以下の技術案によって実現されることができる。台座と、前記台座に枢支連結され、連結軸を介して連結された便蓋及び便座と、細菌やウイルスを殺菌するための殺菌装置と、便座シートペーパーを取り替えるための便座シートペーパー取り替え用装置と、便蓋を自動に開閉するための開閉装置と、前記各装置を制御するための制御装置とを含む、複数のユーザモードを有する安全で衛生的なスマート便器であって、複数のユーザモードが予め設定されており、前記制御装置が異なるユーザを認識するためのユーザ認識モジュールをさらに含み、前記制御装置が、前記ユーザ認識モジュールの認識結果に応じて前記スマート便器を対応のユーザモードで動作させるように制御するよう構成されている。
【０００９】
上述の技術案の更なる改良として、前記殺菌装置は、前記便蓋の、前記便座に隣接する面に取り付けられた紫外線ランプと、前記紫外線ランプの外側に配置された保護カバーと、前記便蓋に取り付けられた赤外線検出器及び細菌センサーと、を含み、前記赤外線検出器及び前記細菌センサーが前記紫外線ランプと電気的に接続されており、前記便座シートペーパー取り替え用装置は、前記連結軸の一端が挿通された駆動リールと、前記連結軸の他端が挿通された受動リールと、前記駆動リール及び前記受動リールがそれぞれ挿通された便座シートペーパーと、前記駆動リールを運動させるように駆動するためのモータと、前記駆動リールの下に取り付けられたクロノグラフ車と、前記受動リールの末端に取り付けられた廃便座シートペーパー回収部とを含み、前記開閉装置は、前記台座と前記便蓋との間の連結部に配置され、前記便蓋を押し引きするための引きロッドと、前記引きロッドと連動された電磁石と、前記引きロッドが前記便蓋を押し引きするように補助するための押しロッドと、前記引きロッドを制御するためのマイクロ制御スイッチとを含み、前記マイクロ制御スイッチが前記制御装置により制御されており、前記電磁石には、伸縮可能な可動鉄心と、前記可動鉄心が挿通された、可動鉄心を位置に戻すための戻しばねとが配置されている。
【００１０】
上述の技術案の更なる改良として、前記便座の外面にはマイクロナノ構造のセラミック層が被覆されており、前記セラミック層には、光触媒がスプレーイングされている。
【００１１】
上述の技術案の更なる改良として、前記複数のユーザモードを有する安全で衛生的なスマート便器は、自動水洗装置と、ユーザの尻を自動的に洗浄・乾燥するための自動洗浄・乾燥装置と、をさらに含み、前記制御装置はマイクロコントローラと、前記マイクロコントローラと接続された情報収集モジュールと、背景音楽を再生するための音楽再生モジュールと、電源モジュールと、前記ユーザ認識モジュールとを含み、前記情報収集モジュールが前記細菌センサー及び前記赤外線検出器と接続されて情報を収集し、前記マイクロコントローラに情報をフィードバックするように構成されており、前記マイクロコントローラが前記紫外線ランプ、前記モータ、前記マイクロ制御スイッチ、前記自動水洗装置及び前記自動洗浄・乾燥装置と接続されており、前記ユーザ認識モジュールが認識されたユーザ情報を前記マイクロコントローラに送信して、前記スマート便器を対応のユーザモードで動作させるように制御するよう構成されている。
【００１２】
上述の技術案の更なる改良として、各ユーザモードでは、予め設定された背景音楽、予め設定された自動洗浄水温及び予め設定された乾燥温度のうち一つまたは複数を含む。
【００１３】
本考案の有益な効果は以下の通りである。
【００１４】
（１）スマート便器には、複数のユーザモードが予め設定されており、当該スマート便器が認識されたユーザに応じて対応のユーザモードで動作する。各ユーザモードでは、予め設定された背景音楽、予め設定された自動洗浄水温及び予め設定された乾燥温度のうち一つまたは複数を設定できるため、様々なユーザのカスタマイズ要求を満たすことができる。
【００１５】
（２）本考案に係わる複数のユーザモードを有する安全で衛生的なスマート便器には、自動開閉便蓋が配置されており、かつ当該便器は、自動殺菌機能があり、便座シートペーパーを自動に取り替えることができるため、異なる使用者を隔離することができ、細菌やウイルスの伝播及び交差感染を防止することができる。安全上の問題を最大限に低減することができる。  
【００１６】
（３）便座の外面にはマイクロナノ構造のセラミック層が被覆されており、セラミック層には、光触媒がスプレーイングされている。光触媒がマイクロナノ構造のセラミック層の孔隙にしっかりと付着されることができて、脱落し難い。しかも、紫外線と光触媒とは密接し、かつ接触表面積が大きい。これによって、殺菌効果を増強させる一方、消臭効果を増強させることができる。
【００１７】
（４）人為的な操作を必要とせずに、制御装置が各装置を制御することで、インテリジェント化が高くなる一方、人体がスマート便器のいずれかの部位に直接接触することによる安全上の問題を回避することができる。
【図面の簡単な説明】
【００１８】
【図１】本考案の安全で衛生的なスマート便器の斜視図である。
【図２】本考案の安全で衛生的なスマート便器の内部構造の模式図である。
【図３】本考案の安全で衛生的なスマート便器の便座の構造模式図である。
【図４】本考案の安全で衛生的なスマート便器の開閉装置の構造模式図である。
【図５】本考案の安全で衛生的なスマート便器の制御システムのブロック図である。
【考案を実施するための形態】
【００１９】
図１及び図２は、本考案の安全で衛生的なスマート便器の斜視図と内部構造の模式図である。
【００２０】
安全で衛生的なスマート便器１００は、台座１０１と、台座１０１に枢支連結され、連結軸を介して連結された便蓋１０２及び便座１０３と、細菌やウイルスを殺菌するための殺菌装置１０４と、便座シートペーパー１５３を取り替えるための便座シートペーパー取り替え用装置１０５と、便蓋１０２を自動に開閉するための開閉装置１０６と、各装置を制御するための制御装置１０７と、自動水洗装置１０８と、ユーザの尻を自動的に洗浄・乾燥するための自動洗浄・乾燥装置１０９と、を含む。スマート便器１００には、複数のユーザモードが予め設定されており、制御装置１０７が異なるユーザを認識するためのユーザ認識モジュール１０７Ａをさらに含み、制御装置１０７が、ユーザ認識モジュール１０７Ａの認識結果に応じてスマート便器１００を対応のユーザモードで動作させるように制御するよう構成されている。各ユーザモードでは、予め設定された背景音楽、予め設定された自動洗浄水温及び予め設定された乾燥温度のうち一つまたは複数を含む。例えば、父、母、子の３人家族の家庭で、三つのユーザモード、即ち、父モード、母モード及び子モードを設定することができる。そのうち、父モードでは、予め設定された背景音楽は父が所望する音楽であり、予め設定された水温は父が所望する水温であり、予め設定された乾燥温度は父が所望する温度である。母モードでは、予め設定された背景音楽は母が所望する音楽であり、予め設定された水温は母が所望する水温であり、予め設定された乾燥温度は母が所望する温度である。子モードでは、予め設定された背景音楽は子が所望する音楽であり、予め設定された水温は子が所望する水温であり、予め設定された乾燥温度は子が所望する温度である。各予め設定された選択肢をカスタマイズすることができる。予め設定された選択肢が上述の背景音楽、水温及び温度に限定されず、増加または減少されてもよい。ユーザモードの数が三つに限定されず、三つ未満またはそれより多くあってもよい。
【００２１】
上述のユーザ認識モジュール１０７Ａは、例えば、顔認識システムや虹彩認証システムなどのような様々な形式を利用することができ、本考案は、これに限定されない。
【００２２】
殺菌装置１０４は、便蓋１０２の、便座１０３に隣接する面に取り付けられた紫外線ランプ１４１と、紫外線ランプ１４１の外側に配置された保護カバー１４２と、便蓋１０２に取り付けられた赤外線検出器１４３及び細菌センサー１４４と、を含み、赤外線検出器１４３及び細菌センサー１４４が紫外線ランプ１４１と電気的に接続されている。保護カバー１４２には、脱臭剤が配設され、これによって、便器の使用者がトイレの臭いの影響を受けることを回避できる。
【００２３】
図３は、本考案の安全で衛生的なスマート便器の便座の構造模式図である。便座１０３の外面にはマイクロナノ構造のセラミック層１３１が被覆されており、セラミック層１３１には、光触媒１３２がスプレーイングされている。光触媒１３２がマイクロナノ構造のセラミック層１３１の孔隙にしっかりと付着されることができて、脱落し難い。しかも、紫外線と光触媒１３２とは密接し、かつ接触表面積が大きい。これによって、殺菌効果を増強させる一方、消臭効果を増強させることができる。
【００２４】
便座シートペーパー取り替え用装置１０５が、連結軸の一端が挿通された駆動リール１５１と、連結軸の他端が挿通された受動リール１５２と、駆動リール１５１及び受動リール１５２がそれぞれ挿通された便座シートペーパー１５３と、駆動リール１５１を運動させるように駆動するためのモータ１５４と、駆動リール１５１の下に取り付けられたクロノグラフ車１５５と、受動リール１５２の末端に取り付けられた廃便座シートペーパー回収部とを含む。駆動リール１５１及び受動リール１５２の外側にはそれぞれリールカバーが配置されている。このように、防塵・防菌効果を実現し、細菌やウイルスが便座シートペーパー１５３に落ちることを避け、交差感染をさらに回避し、安全上の問題を低減することができる。
【００２５】
図４は本考案の安全で衛生的なスマート便器の開閉装置の構造模式図である。開閉装置１０６は、台座１０１と便蓋１０２との間の連結部に配置された引きロッド１６１と、引きロッド１６１と連動された電磁石１６２と、引きロッド１６１が便蓋１０２を押し引きするように補助するための押しロッド１６４と、引きロッド１６１の押し引きを制御するためのマイクロ制御スイッチ１６３とを含み、マイクロ制御スイッチ１６３が制御装置１０７に制御されており、電磁石１６２には、伸縮可能な可動鉄心１６６と、可動鉄心１６６が挿通された、可動鉄心１６６を位置に戻すための戻しばね１６５と、を含む
【００２６】
図５は本考案の安全で衛生的なスマート便器的制御システムのブロック図である。制御装置１０７が、マイクロコントローラ１７１と、マイクロコントローラ１７１と接続された情報収集モジュール１７２と、背景音楽を再生するための音楽再生モジュール１７３と、電源モジュール１７４と、ユーザ認識モジュール１０７Ａとを含み、情報収集モジュール１７２が細菌センサー１４４及び赤外線検出器１４３と接続されて情報を収集し、マイクロコントローラ１７１に情報をフィードバックするように構成されており、マイクロコントローラ１７１が紫外線ランプ１４１、モータ１５４、マイクロ制御スイッチ１６３、自動水洗装置１０８及び自動洗浄・乾燥装置１０９と接続されている。ユーザ認識モジュール１０７Ａが認識されたユーザ情報をマイクロコントローラに送信して、スマート便器を対応のユーザモードで動作させるように制御するよう構成されている。
【００２７】
本考案の作業過程が以下の通りである。
【００２８】
使用者がスマート便器１００に近接したときに、赤外線検出器１４３が人体を検知すると同時に、ユーザ認識モジュール１０７Ａが、具体的に、どちらのユーザであるかを認識する。赤外線検出器１４３及びユーザ認識モジュール１０７Ａが、検知情報及び認識情報をマイクロコントローラ１７１にフィードバックし、マイクロコントローラ１７１がマイクロ制御スイッチ１６３をオフさせるように制御し、引きロッド１６１が電磁石１６２により前方に向けて運動して、便蓋１０２を開放させるように押し、同時に、便蓋１０２を速く開放させるように、押しロッド１６４が便蓋１０２に推力を与え、同時に、マイクロコントローラ１７１がモータ１５４を動作させるように制御し、モータ１５４により駆動リール１５１が回転して受動リール１５２を回転させ、便座シートペーパー１５３を駆動リール１５１から受動リール１５２へ運動するように引き、これによって、便座シートペーパー１５３が便座１０３全体を敷き詰め、古い便座シートペーパー１５３が廃便座シートペーパー回収部まで引かれ、便蓋１０２が自動で開き、便座シートペーパーの取り替えが自動で完成してから、使用者が大小便を行い、マイクロコントローラ１７１が、ユーザ認識モジュール１０７Ａの認識情報に応じて音楽再生モジュール１７３が当該ユーザにより予め設定された音楽を再生するように制御し、その後、大小便後に、自動洗浄・乾燥装置１０９が動作し、ユーザにより予め設定された水温及び予め設定された乾燥温度で使用者の尻を乾燥することで尻を清潔で衛生的に保持させ、最後に、使用者が便器から離れ、赤外線検出器１４３が使用者の離れを検知したときに、マイクロコントローラ１７１がマイクロ制御スイッチ１６３をオフさせるように制御し、電磁石１６２により引きロッド１６１が後方に運動して便蓋１０２を閉じた後、マイクロコントローラ１７１は、自動水洗装置１０８がスマート便器１００内の排泄物を水洗するように制御し、同時に、マイクロコントローラ１７１が、紫外線ランプ１４１が殺菌し始めるように制御し、細菌センサー１４４が、細菌やウイルスの濃度が設定された標準まで低減することを検知したときに、紫外線ランプ１４１が動作を停止し、殺菌過程が完了する。
【００２９】
本考案が提供する複数のユーザモードを有する安全で衛生的なスマート便器は、以下の有益な効果を有する。
【００３０】
第一に、細菌やウイルスを殺菌するための殺菌装置１０４が配置されるため、細菌やウイルスの伝播を防止することができる。第二に、便座シートペーパー取り替え用装置１０５が配置されるため、異なる使用者を隔離することができ、交差感染を防止することができる。第三に、開閉装置１０６が配置されるため、使用者の手が便蓋１０２に接触することを回避でき、これによって、手が細菌に接触することを回避でき、安全上の問題を低減することができ、便器を水洗する過程において、細菌やウイルスがサイクロンにより空中に吹き付けられることを回避できる。本考案に係わる複数のユーザモードを有する安全で衛生的なスマート便器には、自動開閉便蓋１０２が配置されており、かつ当該便器は、自動殺菌機能があり、便座シートペーパーを自動に取り替えることができるため、異なる使用者を隔離することができ、細菌やウイルスの伝播及び交差感染を防止することができる。安全上の問題を最大限に低減することができる。また、スマート便器には、さらに、複数のユーザモードが設けられており、認識されたユーザによって対応のユーザモードで動作することで、さまざまなユーザのカスタマイズ要求を満たすことができる。
【００３１】
上述の実施例はただ本考案のいくつかの実施様態を具体的かつ詳細に説明したが、本考案の内容に対する範囲の制限にはならない。当業者にとって、本発明の原理及び主旨から逸脱しない限りこれらの実施形態に対して複種の変化及び改良は、すべて本発明の保護範囲に属する。従って、本考案の保護範囲は、特許請求の範囲により限定される。
【図１】
0003211816.tif 000003
【図２】
0003211816.tif 000004
【図３】
0003211816.tif 000005
【図４】
0003211816.tif 000006
【図５】
0003211816.tif 000007